(57)【要約】【課題】２値化回路の直流信号のレベルを、２値化信号が有するジッタを最少とするレベルに調整することが可能な光ディスク用信号処理装置、光ディスク装置を制御するためのプログラムを提供することを目的とする。【解決手段】光ディスクに照射されたレーザー光の反射光が光電変換されて得られるＲＦ（Radio Frequency）信号と直流信号とをレベル比較し、光ディスクに記録された情報を再生するための２値化信号を出力する２値化回路、を備えた光ディスク用信号処理装置であって、直流信号のレベルは、２値化信号が有するジッタを最少とするレベルに調整される、ことを特徴とする。【選択図】図１
2008027487.tif 000002
【特許請求の範囲】
【請求項１】
光ディスクに照射されたレーザー光の反射光が光電変換されて得られるＲＦ（Radio Frequency）信号と直流信号とをレベル比較し、前記光ディスクに記録された情報を再生するための２値化信号を出力する２値化回路、を備えた光ディスク用信号処理装置であって、
前記直流信号のレベルは、前記２値化信号が有するジッタを最少とするレベルに調整される、
ことを特徴とする光ディスク用信号処理装置。
【請求項２】
前記直流信号のレベルを、一定のレベル範囲内で異なる複数のレベルに調整する調整部と、
前記直流信号のレベルが前記異なる複数のレベルに調整されたときの前記ジッタを検出する検出部と、
前記検出部の検出結果に基づいて、前記２値化回路に対して、前記ジッタを最少とする前記直流信号のレベルを設定する設定部と、
を備えたことを特徴とする請求項１に記載の光ディスク用信号処理装置。
【請求項３】
前記直流信号のレベルを、一方のレベルから他方のレベルへ向かって、異なる複数のレベルに調整する調整部と、
前記直流信号のレベルが前記異なる複数のレベルに調整されたときの前記ジッタを検出する検出部と、
前記検出部の検出結果に基づいて、前記２値化回路に対して、前記直流信号のレベルが前記異なる複数のレベルに調整される過程において前記ジッタが最少となったときの前記直流信号のレベルを設定する設定部と、
を備えたことを特徴とする請求項１に記載の光ディスク用信号処理装置。
【請求項４】
前記検出部は、
前記２値化信号と、前記２値化信号に対して位相同期するべく発生する所定周波数のクロックと、に基づいて前記ジッタを検出する、
ことを特徴とする請求項２又は請求項３に記載の光ディスク用信号処理装置。
【請求項５】
前記検出部は、
前記ジッタが最少であることを検出した場合、前記ジッタの検出動作を停止する、
ことを特徴とする請求項２乃至請求項４の何れかに記載の光ディスク用信号処理装置。
【請求項６】
前記直流信号のレベルを、一定のレベル範囲内で異なる複数のレベルに調整する調整部と、
前記直流信号のレベルが前記異なる複数のレベルに調整されたときの、前記光ディスクに記録された信号に対する、前記２値化信号に基づいて生成される再生信号の誤りの発生を計数する計数部と、
前記計数部の計数結果に基づいて、前記２値化回路に対して、前記ジッタを最少とする前記直流信号のレベルを設定する設定部と、
を備えたことを特徴とする請求項１に記載の光ディスク用信号処理装置。
【請求項７】
前記直流信号のレベルを、一方のレベルから他方のレベルへ向かって、異なる複数のレベルに調整する調整部と、
前記直流信号のレベルが前記異なる複数のレベルに調整されたときの、前記光ディスクに記録された信号に対する、前記２値化信号に基づいて生成される再生信号の誤りの発生を計数する計数部と、
前記計数部の計数結果に基づいて、前記２値化回路に対して、前記直流信号のレベルが前記異なる複数のレベルに調整される過程において前記ジッタが最少となったときの前記直流信号のレベルを設定する設定部と、
を備えたことを特徴とする請求項１に記載の光ディスク用信号処理装置。
【請求項８】
光ディスクに照射されたレーザー光の反射光が光電変換されて得られるＲＦ（Radio Frequency）信号と直流信号とをレベル比較し、前記光ディスクに記録された情報を再生するための２値化信号を出力する２値化回路、を備えた光ディスク装置を制御するコンピュータに、
前記直流信号のレベルを、前記２値化信号が有するジッタを最少とするレベルに調整する機能を実現させるプログラム。
【発明の詳細な説明】
【技術分野】
【０００１】
本発明は、光ディスク用信号処理装置、光ディスク装置を制御するためのプログラムに関する。
【背景技術】
【０００２】
現在、光ディスク（ＣＤ（Compact Disc）、ＤＶＤ（Digital Versatile Disc）等）から情報を再生する光ディスク装置が普及している。この光ディスク装置は、光ディスクの規格に対応する波長（ＣＤ：７８０ｎｍ〜７９０ｎｍ、ＤＶＤ：６５０ｎｍ〜６６０ｎｍ等）のレーザー光を出射して、光ディスクの情報記録層の螺旋状に形成されたトラックにレーザー光を照射する。光ディスクのトラックには、情報に対して誤り訂正符号の付加、変調等が施され、この結果得られる信号に応じたマーク長（３Ｔ〜１１Ｔ）のピットが形成されている。そして、光ディスク装置は、光ディスクのトラックを照射したレーザー光の反射光を光電変換してＲＦ（Radio Frequency）信号を生成する。さらに、光ディスク装置は、２値化回路において、ＲＦ信号と所定レベルの直流信号とをレベル比較して、２値化信号を生成する。
【０００３】
以下、ＲＦ信号に基づく２値化信号の生成について詳述する。ＲＦ信号は、光ディスクのトラックに対して情報が正確に記録されている場合、図１０（ａ）に示すように、最大レベルと最小レベルとの中間のレベルに対して対称となる波形（以下、シンメトリした波形という）となる。そして、ＲＦ信号がシンメトリした波形となる場合、ＲＦ信号の中間レベルにおいて、２値化信号が有するジッタ（２値化信号に位相同期するべく発生する所定周波数のクロック（以下、再生クロックという）に対する２値化信号の時間軸上の変動）が最少（ボトムジッタ）となる。そこで、２値化回路は、２値化信号のハイレベルとローレベルとのデューティー比を５０とするべく、２値化信号をフィードバック制御することによって、ＲＦ信号の中間レベルとなる直流信号を生成する。つまり、２値化回路は、２値化信号のデューティー比を５０とし、ＲＦ信号がシンメトリした波形となる場合において２値化信号が有するジッタが最少となるレベルの直流信号を生成することとなる。そして、光ディスク装置は、２値化信号に対して再生クロックに基づく処理を行い、復調、誤り訂正等を施すことにより、ジッタによる影響を最小とした良好な情報の再生を行うことが可能となる。
【特許文献１】特開２００５−２７６２８９号
【発明の開示】
【発明が解決しようとする課題】
【０００４】
しかしながら、光ディスクに対する情報の記録誤差等によって、ＲＦ信号の中間レベルと２値化信号が有するジッタを最少とするレベルとが一致しない粗悪な光ディスクが存在する。一例を示すと、マーク長３Ｔのピットから得られる反射光の光量が、マーク長３Ｔのピットを正確に記録した場合に得られる反射光の光量に比べて小さくなる等の光ディスクが存在する。この場合、ＲＦ信号の波形は、例えば図１０（ｂ）に示すようにシンメトリずれ（非対称）した波形となり、ＲＦ信号の中間レベルと、２値化信号が有するジッタが最少となるレベルとが一致しないこととなる。このため、２値化回路において、ＲＦ信号と、ジッタが最少となるレベルとは異なるＲＦ信号の中間レベルの直流信号とをレベル比較した場合、２値化信号が有するジッタが増大する可能性があった。このため、この２値化信号に基づく情報の再生におけるジッタの影響が増大し、良好な情報の再生が困難となる可能性があった。特に、例えば光ディスクに記録する情報量を多くするべく、マーク長の短い（３Ｔ、４Ｔ等）ピットを多用する場合、ＲＦ信号の中間レベルと、２値化信号が有するジッタが最少となるレベルとの不一致による上述の問題は、より深刻なものとなる可能性があった。
【０００５】
そこで、本発明は、２値化回路の直流信号のレベルを、２値化信号が有するジッタを最少とするレベルに調整することが可能な光ディスク用信号処理装置、光ディスク装置を制御するためのプログラムを提供することを目的とする。
【課題を解決するための手段】
【０００６】
前記課題を解決するための発明は、光ディスクに照射されたレーザー光の反射光が光電変換されて得られるＲＦ（Radio Frequency）信号と直流信号とをレベル比較し、前記光ディスクに記録された情報を再生するための２値化信号を出力する２値化回路、を備えた光ディスク用信号処理装置であって、前記直流信号のレベルは、前記２値化信号が有するジッタを最少とするレベルに調整される、ことを特徴とする。
【発明の効果】
【０００７】
本発明によれば、２値化信号が有するジッタの影響を最小とする、光ディスクからの情報の再生を行うことができる。
【発明を実施するための最良の形態】
【０００８】
本明細書および添付図面の記載により、少なくとも以下の事項が明らかとなる。
【０００９】
＜＜第１の実施形態＞＞
＝＝＝光ディスク装置の全体構成＝＝＝
以下、図１を参照しつつ、本発明に係る光ディスク用信号処理装置６を具備する光ディスク装置１の全体構成について説明する。図１は、光ディスク装置１の全体構成の一例を示す機能ブロック図である。尚、本実施形態において、情報が記録された光ディスク５０は、例えばＣＤ規格の光ディスクであるものとして説明するが、本発明に係る光ディスク用信号処理装置６は、その他の規格（ＤＶＤ規格、Ｂｌｕ-ｒａｙ Ｄｉｓｃ（登録商標）等）の光ディスクに対しても応用可能である。また、この光ディスク５０は、図１０（ｂ）に示すように、ＲＦ信号の中間レベルと２値化信号が有するジッタを最少とするレベルとが一致しないように情報が記録されているものとして説明する。
【００１０】
光ディスク装置１は、スピンドルモータ２、光ピックアップ３、ＲＦアンプ４、光ディスク用信号処理装置６、ＰＬＬ（Phase Locked Loop）回路７、デコーダ８、インタフェース（Ｉ／Ｆ）９、サーボ制御回路１０、ドライバ１１を有する。
【００１１】
スピンドルモータ２は、ドライバ１１からの制御電圧がスピンドルモータコイル（不図示）に印加されることにより、制御電圧に応じた回転速度で回転し、例えばチャッキング機構（不図示）に設置される光ディスク５０を所定の回転方向へ回転させる。
【００１２】
光ピックアップ３は、不図示の半導体レーザー、各種光学系（コリメータレンズ、アナモフィックレンズ等）、対物レンズ、光検出器、アクチュエータ等を有する。半導体レーザーは、光ディスク５０の規格に対応する波長（７８０ｎｍ〜７９０ｎｍ）のレーザー光を出射する。レーザー光は、各種光学系を透過又は反射した後、対物レンズによって、光ディスク５０の情報記録層の螺旋状に形成されたトラックに集光される。光ディスク５０のトラックに照射されたレーザー光の反射光は、対物レンズに入射し、各種光学系を透過又は反射した後、光検出器にて受光される。光検出器は、レーザー光の反射光を光電変換し、変換結果である光電変換信号を、ＲＦアンプ４に出力する。
【００１３】
ＲＦアンプ４は、光電変換信号を所定のゲインで増幅し所定の処理を施したＲＦ信号を、光ディスク用信号処理装置６の２値化回路５に出力する。また、ＲＦアンプ４は、光電変換信号に基づいて、光ピックアップ３のアクチュエータを介して、フォーカス方向（光軸方向）に対物レンズを移動するためのフォーカスエラー（ＦＥ）信号、トラッキング方向（径方向）に対物レンズを移動するためのトラッキングエラー（ＴＥ）信号等の各種サーボ制御ための信号を生成して、サーボ制御回路１０に出力する。
【００１４】
サーボ制御回路１０は、各種サーボ制御のための信号に基づいて、フォーカス制御信号、トラッキング制御信号等を生成して、ドライバ１１に出力する。また、サーボ制御回路１０は、スピンドルモータ２が回転することによって発生する逆起電圧に基づいて、回転速度に対応する周波数のＦＧ（Frequency Generator）信号を生成する。そして、サーボ制御回路１０は、ＦＧ信号に基づいて、ＣＰＵ（Central Processing Unit）等の制御回路（不図示）から指示される回転速度にスピンドルモータ２の回転を制御するべく、ドライバ１１に回転制御信号を出力する。
【００１５】
ドライバ１１は、フォーカス制御信号、トラッキング制御信号等に基づいて、光ピックアップ３のアクチュエータに制御電圧を印加する。この結果、フォーカス方向に対物レンズが移動し、光ディスク５０のトラックにレーザー光が合焦するとともに、トラッキング方向に対物レンズが移動し、光ディスク５０のトラックにレーザー光が追従することとなる。また、ドライバ１１は、回転制御信号に基づいて、スピンドルモータ２のスピンドルモータコイルに制御電圧を印加する。この結果、スピンドルモータ２が、制御回路の指示する回転速度で回転することとなる。
【００１６】
尚、本実施形態においては、光ピックアップ３自体をトラッキング方向に移動するためのスレッド制御等については、発明の要旨に関係しないため開示していないが、当然のことながらスレッド制御等を行うための構成等を光ディスク装置１に付加することが可能である。
【００１７】
光ディスク用信号処理装置６の２値化回路５は、ＲＦアンプ４からのＲＦ信号と、後述するＤＡ（Digital Analog）コンバータ１８（調整部、設定部）の出力によってレベル調整される直流信号とをレベル比較し、ＰＬＬ回路７、ジッタ検出回路１２（検出部）に２値化信号を出力する。尚、２値化回路５の詳細な構成等については後述する。
【００１８】
ＰＬＬ回路７は、例えば、不図示の位相比較回路、分周回路、チャージポンプ回路、ローパスフィルタ、ＶＣＯ（Voltage Controlled Oscillator）回路等から構成される。ＰＬＬ回路７は、２値化信号と所定周波数のクロックとを位相比較し、２値化信号に位相同期するべき再生クロックを発生し、２値化信号と再生クロックとを、デコーダ８に出力する。また、ＰＬＬ回路７は、再生クロックをジッタ検出回路１２に出力する。
【００１９】
光ディスク用信号処理装置６は、２値化信号と再生クロックとに基づいて、２値化信号が有するジッタを検出し、２値化回路５の直流信号のレベルを、２値化信号が有するジッタが最少となるレベルに調整する。尚、光ディスク用信号処理装置６の詳細な構成等については後述する。
【００２０】
デコーダ８は、再生クロックの例えば立下りにおける２値化信号のレベルを検出することにより、光ディスク５０のトラックに情報が記録されたときの再生信号を生成する。そして、デコーダ８は、この信号に対し、光ディスク５０の規格に対応する復調処理（ＥＦＭ（Eight Fourteen Modulation））、誤り訂正処理（ＣＩＲＣ（Cross Interleaved Reed-Solomon Code））等のデコード処理を施す。この結果、光ディスク５０に記録された情報が再生されることとなる。
【００２１】
インタフェース９は、接続端子（不図示）を介して接続される例えばホストコンピュータ（不図示）と、光ディスク装置１とが情報の送受信を行うために設けられている。このインタフェース９としては、ＡＴＡＰＩ（AT Attachment Packet Interface）規格やＳＣＳＩ（Small Computer System Interface）規格、ＩＥＥＥ（Institute of Electrical and Electronic Engineers）１３９４規格、ＵＳＢ（Universal Serial Bus）規格等がある。
【００２２】
＝＝＝光ディスク用信号処理装置６の構成等＝＝＝
以下、図１乃至図４を参照しつつ、本発明に係る光ディスク用信号処理装置６の構成等について説明する。図２は、２値化回路５の構成の一例を示す回路ブロック図である。
【００２３】
図３は、ジッタ検出回路１２の構成の一例を示す回路ブロック図である。図４は、図３に示すジッタパルス生成回路３１の要部波形を示す波形図である。
【００２４】
光ディスク用信号処理装置６は、２値化回路５、ジッタ検出回路１２、ＡＤ（Analog Digital）コンバータ１３、レジスタ１４、１７（調整部、設定部）、マイクロコンピュータ１５、ＲＡＭ（Random Access Memory）１６、ＤＡコンバータ１８を有する。
【００２５】
＜＜２値化回路５の構成等＞＞
先ず、図２を参照しつつ、本発明に係る光ディスク用信号処理装置６の２値化回路５の構成等について説明する。２値化回路５は、コンデンサ２１、比較回路２２、チャージポンプ回路２３、ローパスフィルタ２４、加算回路２５、抵抗２６を有する。
【００２６】
コンデンサ２１は、ＲＦアンプ４と比較回路２２の＋入力端子との間に接続される。コンデンサ２１は、ＲＦアンプ４からのＲＦ信号の直流成分をカットし、ＲＦ信号の交流成分を比較回路２２の＋入力端子に供給する。
【００２７】
比較回路２２は、後述する抵抗２６の一端に発生する直流信号（以下、直流信号Ａという）がＲＦ信号の交流成分に重畳することによって発生する入力信号（以下、重畳信号という）が＋入力端子に入力され、電源電圧（１／２ＶＤＤ）からの入力信号（以下、基準信号という）が−入力端子に入力される。そして、比較回路２２は、重畳信号と基準信号とをレベル比較し、比較結果である２値化信号を出力する。詳述すると、比較回路２２は、重畳信号が基準信号よりもハイレベルである場合、ハイレベルの２値化信号を出力し、重畳信号が基準信号よりもローレベルである場合、ローレベルの２値化信号を出力する。
【００２８】
チャージポンプ回路２３は、ハイレベルの２値化信号に基づいて、ローパスフィルタ２４に供給する電流量を下げる。また、チャージポンプ回路２３は、ローレベルの２値化信号に基づいて、ローパスフィルタ２４に供給する電流量を上げる。
【００２９】
ローパスフィルタ２４は、チャージポンプ回路２３からの電流を電流電圧変換し、変換結果である直流信号（以下、直流信号Ｂという）を出力する。
【００３０】
加算回路２５は、ローパスフィルタ２４からの直流信号Ｂと、後述するＤＡコンバータ１８からの直流信号（以下、直流信号Ｃという）とを加算した直流信号（以下、直流信号Ｄという）を、抵抗２６に出力する。
【００３１】
抵抗２６は、一端がコンデンサ２１と比較回路２２の＋入力端子との接続ラインと接続され、他端が加算回路２５の出力と接続される。そして、直流信号Ｄが抵抗２６の抵抗値に応じて電圧降下することによって直流信号Ａが発生し、ＲＦ信号の交流成分に直流信号Ａが重畳することとなる。
【００３２】
＜＜２値化回路５以外の光ディスク用信号処理装置６の構成等＞＞
次に、図１、図３、図４を参照しつつ、本発明に係る光ディスク用信号処理装置６の２値化回路５以外の構成等について説明する。
【００３３】
ジッタ検出回路１２は、再生クロックに対する２値化信号の時間軸上の変動であるジッタを検出し、ジッタの大きさに対応するレベルのアナログ信号をＡＤコンバータ１３に出力する回路である。尚、ジッタ検出回路１２については、本発明の出願人が既に出願している特開２００２−１４０８１９等に詳細に説明しているため、以下図３、図４を用いて簡単に説明する。ジッタ検出回路１２は、ジッタパルス生成回路３１、スイッチ回路３２Ａ、３２Ｂ、定電流源３３Ａ、３３Ｂ、抵抗３４、コンデンサ３５、増幅回路３６を有する。ジッタパルス生成回路３１は、図４（ｄ）に示すように、再生クロックの立下りから立上りまでの期間において２値化信号のレベルが変化したとき、２値化信号のレベル変化時から再生クロックの立上りまでの期間（ｔ４ｔ５間、ｔ９ｔ１０間）、ハイレベルのディスチャージパルスを出力する。また、ジッタパルス生成回路３１は、図４（ｃ）に示すように、再生クロックの立上りから立下りまでの期間において２値化信号のレベルが変化したとき、２値化信号のレベル変化時から再生クロックの立下りまでの期間（ｔ１ｔ２間、ｔ１３ｔ１４間）、ハイレベルのチャージパルスを出力する。更に、ジッタパルス生成回路３１は、ハイレベルのディスチャージパルスを出力した直後の再生クロックの立下りから立上りまでの期間（ｔ６ｔ７間、ｔ１１ｔ１２間）、ハイレベルのチャージパルスを出力する。スイッチ回路３２Ａは、ハイレベルのチャージパルスに基づいて閉じる。この結果、定電流源３３Ａからの電流がコンデンサ３５に供給され、コンデンサ３５は充電することとなる。また、スイッチ回路３２Ｂは、ハイレベルのチャージパルスに基づいて閉じる。この結果、コンデンサ３５の充電電圧は、定電流源３３Ｂを介して放電されることとなる。増幅回路３６は、コンデンサ３５の充電電圧を所定のゲインにて増幅する。このようにスイッチ回路３２Ａ、３２Ｂの開閉動作を制御することによって、図４（ｅ）に示すジッタに対し、図４（ｆ）に示すジッタの大きさに対応するレベルのアナログ信号がジッタ検出回路１２から出力されることとなる。
【００３４】
ＡＤコンバータ１３は、ジッタ検出回路１２からのアナログ信号をアナログデジタル変換し、変換結果であるデジタル信号（以下、ジッタ対応デジタル信号という）を出力する。レジスタ１４は、ＡＤコンバータ１３からのデジタル信号を保持する。
【００３５】
マイクロコンピュータ１５は、不図示のＣＰＵ、ＲＯＭ（Read Only Memory）、インタフェース等で構成される。マイクロコンピュータ１５は、ジッタ対応デジタル信号が示すジッタを最少とする直流信号Ｃのレベルを判別するべく、異なる複数のレベルの直流信号Ｃを２値化回路５に順次出力する。尚、マイクロコンピュータ１５が、異なる複数のレベルの直流信号Ｃを順次出力するタイミングの一例としては、マイクロコンピュータ１５が動作するタイミングを規定する所定周波数のクロックを、所定の分周率で分周した分周信号の立上りのタイミング等が挙げられる。以下、マイクロコンピュータ１５による異なる複数のレベルの直流信号Ｃの出力について詳述する。マイクロコンピュータ１５は、先ず、所定のレベル（以下、レベル（１）という）の直流信号Ｃを２値化回路５に出力するべく、レベル（１）に対応するデジタル信号（以下、デジタル信号（１）という）をレジスタ１７に書き込む。そして、マイクロコンピュータ１５は、デジタル信号（１）を出力した後のジッタ対応デジタル信号（以下、ジッタ対応デジタル信号（１）という）をレジスタ１４から読み出し、デジタル信号（１）に対応付けてＲＡＭ１６に書き込む。次に、マイクロコンピュータ１５は、例えばレベル（１）よりも所定レベル低いレベル（２）の直流信号Ｃを２値化回路５に出力するべく、レベル（２）に対応するデジタル信号（２）をレジスタ１７に書き込む。そして、マイクロコンピュータ１５は、デジタル信号（２）を出力した後のジッタ対応デジタル信号（２）をレジスタ１４から読み出し、デジタル信号（２）に対応付けてＲＡＭ１６に書き込む。このように、マイクロコンピュータ１５は、所定レベルずつ異なる複数の直流信号Ｃを２値化回路５に出力するべく、複数の直流信号Ｃに対応する複数のデジタル信号を順次出力する。そして、マイクロコンピュータ１５は、各直流信号Ｃに対応する各デジタル信号を出力するごとに、レジスタ１４が保持する各ジッタ対応デジタル信号を、各デジタル信号に対応付けてＲＡＭ１６に書き込む。そして、マイクロコンピュータ１５は、ＲＡＭ１６に記憶された複数のジッタ対応デジタル信号のうち、最少のジッタを示すジッタ対応デジタル信号を判別する。そして、マイクロコンピュータ１５は、最少のジッタを示すジッタ対応デジタル信号を判別すると、当該ジッタ対応デジタル信号に対応付けられたデジタル信号を再び出力する。そして、マイクロコンピュータ１５は、ジッタ検出回路１２のジッタ検出動作を停止するための信号を、ジッタ検出回路１２に出力する。尚、本実施形態におけるジッタ検出回路１２は、マイクロコンピュータ１５かの信号に基づいてジッタ検出動作を停止するものとして説明するが、これに限るものではない。例えば、マイクロコンピュータ１５が最少のジッタを示すジッタ対応デジタル信号を判別可能な期間が経過したことをジッタ検出回路１２自体において判別し、ジッタ検出動作を停止するように設けても良い。つまり、ジッタ検出回路１２が、ジッタ検出動作を自己完結するように設けても良い。また、上述の複数の直流信号Ｃのレベル差である所定レベルは、例えば実験、シミュレーション若しくは演算等で得られた結果から設定される。��して、本実施形態におけるマイクロコンピュータ１５は、所定レベルずつ異なる例えば‘２１’のデジタル信号を順次出力するものとして説明する。
【００３６】
ＲＡＭ１６は、複数のジッタ対応デジタル信号、複数のジッタ対応デジタル信号に対応付けられた複数のデジタル信号を記憶する。このＲＡＭ１６は、例えばＳＲＡＭ（Static ＲＡＭ）等の揮発性記憶素子で構成され、ＲＡＭ１６が保持するデータはバックアップ電源にて保持される。尚、本実施形態においては、ＲＡＭ１６を用いているがこれに限るものではなく、例えば不揮発性記憶素子で構成され、データを電気消去することによりデータを繰り返し書き込み読み出し可能なＥＥＰＲＯＭ（Electronically Erasable and Programmable ＲＯＭ）（フラッシュＲＯＭを含む）等を用いても良い。
【００３７】
レジスタ１７は、マイクロコンピュータ１５からの複数のデジタル信号を順次保持する。ＤＡコンバータ１８は、レジスタ１７が保持する複数のデジタル信号をデジタルアナログ変換し、変換結果に応じたレベルの直流信号Ｃを、２値化回路５に順次出力する。
【００３８】
尚、上述によれば、マイクロコンピュータ１５、ＲＡＭ１６を光ディスク用信号処理装置６の構成とし、レジスタ１４、１７と信号線を介して接続しているが、これに限るものではない。例えば、マイクロコンピュータ１５、ＲＡＭ１６を光ディスク用信号処理装置６とは別途に設け、接続端子を介して信号処理するように設けても良い。
【００３９】
＝＝＝光ディスク用信号処理装置６の動作＝＝＝
以下、図１乃至図４を適宜参照しつつ、図５、図６を用いて、本発明に係る光ディスク用信号処理装置６の動作について説明する。図５は、本発明に係る光ディスク用信号処理装置６の動作を示すフローチャートである。図６は、光ディスク用信号処理装置６が出力する直流信号Ｃのレベルを示す波形（ａ）、及びジッタ検出回路１２にて検出されるジッタの大きさを示す波形（ｂ）の波形図である。尚、上述の光ディスク装置１の各構成の動作によって、光ディスク５０のトラックにレーザー光が照射され、ＲＦアンプ４が２値化回路５にＲＦ信号を出力しているものとして以下説明する。
【００４０】
マイクロコンピュータ１５は、例えば光ディスク装置１の起動開始とともに、ジッタ検出回路１２が、２値化信号が有するジッタの検出を検出するべく、ジッタ検出回路１２をオンする（Ｓ１０１）。
【００４１】
そして、マイクロコンピュータ１５は、先ず、レベル（１）の直流信号Ｃを２値化回路５に出力するべく、変数ｉ＝“１”とする（Ｓ１０２）。そして、マイクロコンピュータ１５は、レベル（１）に対応するデジタル信号（１）を、レジスタ１７に書き込む（Ｓ１０３）。ＤＡコンバータ１８は、レジスタ１７が保持するデジタル信号（１）をデジタルアナログ変換し、変換結果であるレベル（１）の直流信号Ｃを、２値化回路５に出力する。
【００４２】
２値化回路５の加算回路２５は、ＤＡコンバータ１８からのレベル（１）の直流信号Ｃと、ローパスフィルタ２４からの直流信号Ｂとを加算した直流信号Ｄを、抵抗２６に出力する。また、ＲＦアンプ４が出力するＲＦ信号は、コンデンサ２１において直流成分がカットされ、ＲＦ信号の交流成分が比較回路２２の＋入力端子に供給される。この結果、ＲＦ信号の交流成分にレベル（１）の直流信号Ｃに応じた直流信号Ａが重畳され、レベル（１）の直流信号Ｃに応じた重畳信号が比較回路２２の＋入力端子に入力される。比較回路２２は、レベル（１）の直流信号Ｃに応じた重畳信号と基準信号とをレベル比較し、比較結果であるレベル（１）の直流信号Ｃに応じた２値化信号を、チャージポンプ回路２３、ジッタ検出回路１２、ＰＬＬ回路７に出力する。
【００４３】
チャージポンプ回路２３は、レベル（１）の直流信号Ｃに応じた２値化信号に基づいて、ローパスフィルタ２４に供給する電流量を上下する。ローパスフィルタ２４は、チャージポンプ回路２３からの電流を電流電圧変換し、変換結果である直流信号Ｂを出力する。
【００４４】
ＰＬＬ回路７は、レベル（１）の直流信号Ｃに応じた２値化信号と所定周波数のクロックとを位相比較し、レベル（１）の直流信号Ｃに応じた２値化信号に位相同期するべき再生クロックを発生する。そして、ＰＬＬ回路７は、再生クロックをジッタ検出回路１２に出力するとともに、レベル（１）の直流信号Ｃに応じた２値化信号と再生クロックとを、デコーダ８に出力する。
【００４５】
ジッタ検出回路１２は、レベル（１）の直流信号Ｃに応じた２値化信号と再生クロックとに基づいて、レベル（１）の直流信号Ｃに応じた２値化信号が有するジッタを検出し、ジッタの大きさに対応するレベルのアナログ信号を出力する。ＡＤコンバータ１３は、ジッタ検出回路１２からのアナログ信号をアナログデジタル変換し、変換結果であるジッタ対応デジタル信号（１）をレジスタ１４に保持させる。つまり、レジスタ１４は、レベル（１）の直流信号Ｃに基づいて、このときの２値化信号が有するジッタに応じたジッタ対応デジタル信号（１）を保持することとなる。
【００４６】
マイクロコンピュータ１５は、レジスタ１４が保持するジッタ対応デジタル信号（１）を読み出し（Ｓ１０４）、デジタル信号（１）に対応付けてＲＡＭ１６に書き込む（Ｓ１０５）。そして、マイクロコンピュータ１５は、変数ｉをインクリメントし（Ｓ１０６）、変数ｉが“２１”を超えたか否かを判別する（Ｓ１０７）。
【００４７】
マイクロコンピュータ１５は、変数ｉが“２１”を超えていないと判別すると（Ｓ１０７・ＮＯ）、レベル（１）より所定レベル低いレベル（２）の直流信号Ｃを２値化回路５に出力するべく、レベル（２）に対応するデジタル信号（２）を、レジスタ１７に書き込む（Ｓ１０３）。そして、上述と同様の処理が行われることにより、レジスタ１４は、レベル（２）の直流信号Ｃに基づいて、このときの２値化信号が有するジッタに応じたジッタ対応デジタル信号（２）を保持することとなる。更に、変数ｉが“２１”を超えるまで上述と同様の処理が繰り返されることにより、比較回路２２において、レベル（１）乃至（２１）（一定のレベル範囲）の直流信号Ｃに応じた重畳信号と基準信号とのレベル比較が行われる。そして、ジッタ検出回路１２において、レベル（１）乃至（２１）の直流信号Ｃに応じた２値化信号が有するジッタが検出される。この結果、ＲＡＭ１６は、ジッタ対応デジタル信号（１）乃至（２１）と、ジッタ対応デジタル信号（１）乃至（２１）に対応付けられたデジタル信号（１）乃至（２１）が記憶されることとなる。
【００４８】
そして、マイクロコンピュータ１５は、変数ｉが“２１”を超えていると判別すると（Ｓ１０７・ＹＥＳ）、ジッタ対応デジタル信号（１）乃至（２１）のうち、最少のジッタを示すジッタ対応デジタル信号（ｎ）を判別する（Ｓ１０８）（図６参照）。マイクロコンピュータ１５は、最少のジッタを示すジッタ対応デジタル信号（ｎ）を判別すると、当該ジッタ対応デジタル（ｎ）に対応付けられたデジタル信号（ｎ）をＲＡＭ１６から読み出す（Ｓ１０９）。そして、マイクロコンピュータ１５は、デジタル信号（ｎ）を再びレジスタ１７に書き込む（Ｓ１１０）。この結果、２値化信号が有するジッタを最少とするレベル（ｎ）の直流信号Ｃが２値化回路５に出力されることとなる。このため、比較回路２２は、ジッタが最少となる２値化信号を常に出力することとなる。尚、マイクロコンピュータ１５は、デジタル信号（ｎ）を再び書き込んだ後、ジッタ検出回路１２のジッタ検出動作を停止するための信号を、ジッタ検出回路１２に出力する（Ｓ１１１）。
【００４９】
そして、ＰＬＬ回路７は、ジッタが最少となる２値化信号に基づいて、２値化信号と位相同期するべき再生クロックを発生し、２値化信号及び再生クロックとをデコーダ８に出力する。デコーダ８は、再生クロックに基づいて、ジッタが最少となる２値化信号に対し所定のデコード処理を行う。この結果、２値化信号が有するジッタの影響を最小とする、光ディスク５０に記録された情報の再生が行われることとなる。
【００５０】
尚、上述した実施形態においては、ＤＡコンバータ１８から２値化回路５に出力する直流信号Ｃのレベルを、レベル（１）から所定レベルずつ降下することによって、レベル（１）乃至（２１）の直流信号Ｃを出力しているが、これに限るものではない。例えば、レベル（２１）からレベル（１）まで所定レベルずつ上昇させても良い。或いは、レベル（１）乃至（２１）の直流信号Ｃを、ランダムに出力するようにしても良い。
【００５１】
また、直流信号Ｃのレベルとして、レベル（１）乃至（２１）を挙げているが、これに限るものではない。２値化信号が有するジッタを最少とするレベルの直流信号Ｃをより迅速に判別するべく、例えばレベル（１）からレベル（２１）までの範囲におけるレベル数を減らしても良い。或いは、２値化信号が有するジッタを最少とする直流信号Ｃのレベル判別をより精度の高いものとするべく、例えばレベル（１）からレベル（２１）までの範囲におけるレベル数を増やしても良い。更に、各レベル間の差が一定の所定レベルとなるレベル（１）乃至（２１）を用いて、直流信号Ｃのレベルを調整しているが、これに限るものではない。例えば、各レベル間の差が順次減少（又は増大）するレベル（１）乃至（２１）を用いても良いし、各レベル間の差がランダムに異なるレベル（１）乃至（２１）を用いて、直流信号Ｃのレベルを調整しても良い。
【００５２】
上述した実施形態によれば、直流信号Ｃのレベルを、２値化信号が有するジッタを最少とするレベルとすることが可能となる、２値化信号が有するジッタの影響を最小とする、光ディスク５０からの情報の再生を行うことが可能となる。つまり、ＲＦ信号の波形が、図１０（ｂ）に示すようにシンメトリずれした波形となり、ＲＦ信号の中間レベルと、２値化信号が有するジッタが最少となるレベルとが一致しない場合であっても、光ディスク５０からの良好な情報の再生を行うことが可能となる。
【００５３】
また、直流信号Ｃのレベルを一定レベル範囲内のレベル（１）乃至（２１）に調整し、レベル（１）乃至（２１）の直流信号Ｃに基づいて得られるジッタ対応デジタル信号（１）乃至（２１）から、直流信号Ｃのレベルを２値化信号が有するジッタを最少とするレベル（ｎ）により確実に調整することが可能となる。
【００５４】
また、２値化信号と、２値化信号と位相同期するべく発生する再生クロックとに基づいて、２値化信号が有するジッタを確実に検出することが可能となる。この結果、直流信号Ｃのレベルを、２値化信号が有するジッタを最少とするレベル（ｎ）に確実に調整することが可能となる。
【００５５】
また、直流信号Ｃのレベルを、２値化信号が有するジッタを最少とするレベルに調整した後、ジッタ検出回路１２のジッタ検出動作を停止することにより、ジッタ検出回路１２のジッタ検出動作に係る電力消費等を軽減することが可能となる。
【００５６】
また、直流信号Ｃのレベルを、２値化信号が有するジッタを最少とするレベル（ｎ）に調整するための上述の処理を、例えばマイクロコンピュータ１５のＲＯＭに予めプログラミングすることによりソフトウェア処理を行うことが可能となる。
【００５７】
＜＜第２の実施形態＞＞
＝＝＝光ディスク用信号処理装置の構成＝＝＝
以下、図７を参照しつつ、本発明に係る光ディスク用信号処理装置６１の全体構成について説明する。図７は、本発明に係る光ディスク用信号処理装置６１を具備する光ディスク装置６０の全体構成の一例を示す機能ブロック図である。尚、光ディスク装置６０において、図１に示す光ディスク装置１と同様の構成については、同一符号を付して説明を省略する。
【００５８】
光ディスク用信号処理装置６１は、エラーレートカウンタ６３、レジスタ６４、１７、マイクロコンピュータ６２、ＲＡＭ１６、ＤＡコンバータ１８を有する。
【００５９】
エラーレートカウンタ６３は、デコーダ８において、ＥＦＭ復調処理が施された再生信号に対し、光ディスク５０の規格に対応するＣＩＲＣ誤り訂正処理が施されているとき、光ディスク５０に記録された信号に対する、当該ＥＦＭ復調処理が施された再生信号の誤り（エラーレート）が訂正されるごとにカウントアップする。この結果、エラーレートカウンタ６３のカウント値は、２値化信号に基づく再生信号の、光ディスク５０に記録された信号に対する誤りの発生数を示すこととなる。尚、このようなデコーダ８及びエラーレートカウンタ６３は、例えば、特開平１１−１１０９２２号公報に記載されているものを用いることが可能である。上述の公報に掲載されているように、一般的に、エラーレートカウンタ６３のカウント値は、ＲＦアンプ４のブースト調整等に用いられる。  
レジスタ６４は、エラーレートカウンタ６３のカウント値を保持する。
【００６０】
マイクロコンピュータ６２は、レジスタ６４が保持するカウント値を最少とする直流信号Ｃのレベルを判別するべく、異なる複数のレベルの直流信号Ｃを２値化回路５に順次出力する。以下、エラーレートカウンタ６３のカウント値と、２値化信号が有するジッタと、の関係について説明する。２値化信号が有するジッタが大きい場合、当然のことながら、光ディスク５０に記録された信号に対する、２値化信号に基づく再生信号の誤りの発生数も多くなる。つまり、エラーレートカウンタ６３のカウント値が多くなる。これに対し、２値化信号が有するジッタが最少となる場合、光ディスク５０に記録された信号に対する、２値化信号に基づく再生信号の誤りの発生数も略最少となる。そこで、本実施形態においては、レジスタ６４が保持するカウント値の最少を判別することにより、２値化信号が有するジッタを最少とする直流信号Ｃのレベルを判別する。尚、マイクロコンピュータ６２による異なる複数のレベルの直流信号Ｃの順次出力は、前述の第１の実施形態と同様であるが、マイクロコンピュータ６２は、異なる複数のレベルの直流信号Ｃの順次出力するごとに、エラーレートカウンタ６３のカウント値をリセットする。
【００６１】
＝＝＝光ディスク用信号処理装置６１の動作＝＝＝
以下、図７を適宜参照しつつ、図８を用いて、本発明に係る光ディスク用信号処理装置６１の動作について説明する。図８は、本発明に係る光ディスク用信号処理装置６１の動作を示すフローチャートである。尚、光ディスク装置６０の各構成の動作によって、光ディスク５０のトラックにレーザー光が照射され、ＲＦアンプ４が２値化回路５にＲＦ信号を出力しているものとして説明する。
【００６２】
マイクロコンピュータ６２は、先ず、レベル（１）の直流信号Ｃを２値化回路５に出力するべく、変数ｊ＝“１”とする（Ｓ２０１）。そして、マイクロコンピュータ６２は、レベル（１）に対応するデジタル信号（１）を、レジスタ１７に書き込む（Ｓ２０２）。また、マイクロコンピュータ６２は、エラーレートカウンタ６３のカウント値をリセットするための制御信号を、エラーレートカウンタ６３に送信する（Ｓ２０３）。
【００６３】
ＤＡコンバータ１８は、レジスタ１７が保持するデジタル信号（１）をデジタルアナログ変換し、変換結果であるレベル（１）の直流信号Ｃを、２値化回路５に出力する。
【００６４】
２値化回路５の加算回路２５は、ＤＡコンバータ１８からのレベル（１）の直流信号Ｃと、ローパスフィルタ２４からの直流信号Ｂとを加算した直流信号Ｄを、抵抗２６に出力する。また、ＲＦアンプ４が出力するＲＦ信号は、コンデンサ２１において直流成分がカットされ、ＲＦ信号の交流成分が比較回路２２の＋入力端子に供給される。この結果、ＲＦ信号の交流成分にレベル（１）の直流信号Ｃに応じた直流信号Ａが重畳され、レベル（１）の直流信号Ｃに応じた重畳信号が比較回路２２の＋入力端子に入力される。比較回路２２は、レベル（１）の直流信号Ｃに応じた重畳信号と基準信号とをレベル比較し、比較結果であるレベル（１）の直流信号Ｃに応じた２値化信号を、チャージポンプ回路２３、ＰＬＬ回路７に出力する。
【００６５】
チャージポンプ回路２３は、レベル（１）の直流信号Ｃに応じた２値化信号に基づいて、ローパスフィルタ２４に供給する電流量を上下する。ローパスフィルタ２４は、チャージポンプ回路２３からの電流を電流電圧変換し、変換結果である直流信号Ｂを出力する。
【００６６】
ＰＬＬ回路７は、レベル（１）の直流信号Ｃに応じた２値化信号と所定周波数のクロックとを位相比較し、レベル（１）の直流信号Ｃに応じた２値化信号に位相同期するべき再生クロックを発生する。そして、ＰＬＬ回路７は、再生クロックをジッタ検出回路１２に出力するとともに、レベル（１）の直流信号Ｃに応じた２値化信号と再生クロックとを、デコーダ８に出力する。
【００６７】
デコーダ８は、再生クロックの立下りにおける２値化信号のレベルを検出することにより再生信号を生成する。そして、デコーダ８は、再生信号に対し、ＥＦＭ復調処理を施す。更に、デコーダ８は、ＥＦＭ復調処理が施された再生信号に対し、光ディスク５０の規格に対応するＣＩＲＣ誤り訂正処理が施す。
【００６８】
エラーレートカウンタ６３のカウンタ値は、マイクロコンピュータ６２からの制御信号に基づいて、リセットされる。そして、エラーレートカウンタ６３は、デコーダ８において、光ディスク５０に記録された信号に対する、ＥＦＭ復調処理が施された再生信号の誤りが訂正されるごとにカウントアップする。つまり、エラーレートカウンタ６３は、レベル（１）の直流信号Ｃに応じた２値化信号に基づいて発生する再生信号の、光ディスク５０に記録された信号に対する誤りの発生数をカウントすることになる。レジスタ６４は、エラーレートカウンタ６３のカウント値を保持する。
【００６９】
マイクロコンピュータ６２は、レジスタ６４がカウント値（１）を読み出し（Ｓ２０４）、デジタル信号（１）に対応付けてＲＡＭ１６に書き込む（Ｓ２０５）。そして、マイクロコンピュータ６２は、変数ｊをインクリメントし（Ｓ２０６）、変数ｊが“２１”を超えたか否かを判別する（Ｓ２０７）。
【００７０】
マイクロコンピュータ６２は、変数ｊが“２１”を超えていないと判別すると（Ｓ２０７・ＮＯ）、レベル（１）より所定レベル低いレベル（２）の直流信号Ｃを２値化回路５に出力するべく、レベル（２）に対応するデジタル信号（２）を、レジスタ１７に書き込む（Ｓ２０２）。また、マイクロコンピュータ６２は、エラーレートカウンタ６３のカウント値をリセットするための制御信号を、エラーレートカウンタ６３に送信する（Ｓ２０３）。そして、上述と同様の処理が行われることにより、エラーレートカウンタ６３は、レベル（２）の直流信号Ｃに応じた２値化信号に基づいて発生する再生信号の、光ディスク５０に記録された信号に対する誤りの発生数をカウントすることとなる。更に、変数ｊが“２１”を超えるまで上述と同様の処理が繰り返されることにより、比較回路２２において、レベル（１）乃至（２１）（一定のレベル範囲）の直流信号Ｃに応じた重畳信号と基準信号とのレベル比較が行われる。そして、エラーレートカウンタ６３において、レベル（１）乃至（２１）の直流信号Ｃに応じた２値化信号に基づいて発生する再生クロックの、光ディスク５０に記録された信号に対する誤りの発生数がカウントされる。この結果、ＲＡＭ１６は、カウント値（１）乃至（２１）と、カウント値（１）乃至（２１）に対応付けられたデジタル信号（１）乃至（２１）が記憶されることとなる。
【００７１】
そして、マイクロコンピュータ６２は、変数ｊが“２１”を超えていると判別すると（Ｓ２０７・ＹＥＳ）、カウント値（１）乃至（２１）のうちの最少カウント値を判別する（Ｓ２０８）。マイクロコンピュータ６２は、最少カウント値（ｎ）を判別すると、当該カウント値（ｎ）に対応付けられたデジタル信号（ｎ）をＲＡＭ１６から読み出す（Ｓ２０９）。そして、マイクロコンピュータ６２は、デジタル信号（ｎ）を再びレジスタ１７に書き込む（Ｓ２１０）。この結果、エラーレートカウンタ６３のカウント値を最少とするレベル（ｎ）の直流信号Ｃが２値化回路５に出力されることとなる。つまり、２値化信号が有するジッタを最少とするレベル（ｎ）の直流信号Ｃが、２値化回路５に出力されることとなる。このため、比較回路２２は、ジッタが最少となる２値化信号を常に出力することとなる。
【００７２】
そして、ＰＬＬ回路７は、ジッタが最少となる２値化信号に基づいて、２値化信号と位相同期するべき再生クロックを発生し、２値化信号及び再生クロックとをデコーダ８に出力する。デコーダ８は、再生クロックに基づいて、ジッタが最少となる２値化信号に対し所定のデコード処理を行う。この結果、２値化信号が有するジッタの影響を最小とする、光ディスク５０に記録された情報の再生が行われることとなる。
【００７３】
尚、上述した実施形態においては、ＤＡコンバータ１８から２値化回路５に出力する直流信号Ｃのレベルを、レベル（１）から所定レベルずつ降下することによって、レベル（１）乃至（２１）の直流信号Ｃを出力しているが、これに限るものではない。第１の実施形態において示したように、直流信号Ｃのレベルを、様々に変化させることが可能である。
【００７４】
上述した実施形態によれば、直流信号Ｃのレベルを一定レベル範囲内のレベル（１）乃至（２１）に調整し、レベル（１）乃至（２１）の直流信号Ｃに基づいて得られるエラーレートカウンタ６３のカウント値から、直流信号Ｃのレベルを２値化信号が有するジッタを最少とするレベル（ｎ）により確実に調整することが可能となる。
【００７５】
＝＝＝その他の実施形態＝＝＝
以上、本発明に係る光ディスク用信号処理装置、光ディスク装置を制御するためのプログラムについて説明したが、上記の説明は、本発明の理解を容易とするためのものであり、本発明を限定するものではない。本発明は、その趣旨を逸脱することなく、変更、改良され得る。
【００７６】
＜＜光ディスク用信号処理装置６の動作＞＞
上述した第１の実施形態においては、レベル（１）乃至（２１）の直流信号Ｃを出力し、レベル（１）乃至（２１）の直流信号Ｃに応じたジッタ対応デジタル信号（１）乃至（２１）を得ることにより、２値化信号が有するジッタが最少となる直流信号Ｃのレベル（ｎ）を判別しているが、これに限るものではない。例えば、光ディスク用信号処理装置６を、図９に示す動作を行うように設けても良い。図９は、本発明に係る光ディスク用信号処理装置６のその他の動作を示すフローチャートである。以下、図６、図９を参照しつつ、光ディスク用信号処理装置６のその他の動作について説明する。尚、Ｓ３０１乃至Ｓ３０４までについては、図５に示すＳ１０１乃至Ｓ１０４と同様の動作であるため、説明を省略する。
【００７７】
マイクロコンピュータ１５は、レジスタ１４が保持するジッタ対応デジタル信号（１）を読み出すと（Ｓ３０４）、変数ｉが“１”であるか否かを判別する（Ｓ３０５）。そして、マイクロコンピュータ１５は、変数ｉが“１”であると判別すると（Ｓ３０５・ＹＥＳ）、デジタル信号（１）に対応付けたジッタ対応デジタル信号（１）を、ＲＡＭ１６の予め定められたアドレスに書き込む（Ｓ３０６）。
【００７８】
そして、マイクロコンピュータ１５は、変数ｉをインクリメントし（Ｓ３０７）、レベル（２）の直流信号Ｃを２値化回路５に出力するべく、レベル（２）に対応するデジタル信号（２）を、レジスタ１７に書き込む（Ｓ３０３）。そして、マイクロコンピュータ１５は、レジスタ１４が保持するジッタ対応デジタル信号（２）を読み出すと（Ｓ３０４）、変数ｉが“１”であるか否かを判別する（Ｓ３０５）。このとき変数ｉは“２”であることから、マイクロコンピュータ１５は、変数ｉは“１”ではないと判別し（Ｓ３０５・ＮＯ）、前述のＳ３０６の動作によってＲＡＭ１６の予め定められたアドレスに書き込まれたジッタ対応デジタル信号（１）を読み出す（Ｓ３０８）。そして、マイクロコンピュータ１５は、ジッタ対応デジタル信号（２）が示すジッタが、ジッタ対応デジタル信号（１）が示すジッタ以上であるか否かを判別する（Ｓ３０９）。ここで、２値化信号が有するジッタの大きさは、図６（ｂ）に示すように、直流信号Ｃのレベルがレベル（ｎ）に達するまで下降し、レベル（ｎ）に達した後上昇している。つまり、２値化信号が有するジッタは、一般的に、ジッタが最少となるボトムジッタを最小点とする曲線を描く。このため、マイクロコンピュータ１５は、ジッタ対応デジタル信号（２）が示すジッタが、ジッタ対応デジタル信号（１）が示すジッタ以上ではないと判別することとなる（Ｓ３０９・ＮＯ）。そして、マイクロコンピュータ１５は、デジタル信号（２）に対応付けたジッタ対応デジタル信号（２）を、デジタル信号（１）に対応付けたジッタ対応デジタル信号（１）が書き込まれているＲＡＭ１６の予め定められたアドレスに上書きする（Ｓ３０６）。
【００７９】
そして、上述と同様の処理が行われることにより、２値化信号が有するジッタを最少とするデジタル信号（ｎ）に対応付けたジッタ対応デジタル信号（ｎ）が、ＲＡＭ１６の予め定められたアドレスに上書きされたものとする（Ｓ３０６）。マイクロコンピュータ１５は、変数ｉ（＝ｎ）をインクリメントし（Ｓ３０７）、レベル（ｎ＋１）の直流信号Ｃを２値化回路５に出力するべく、レベル（ｎ＋１）に対応するデジタル信号（ｎ＋１）を、レジスタ１７に書き込む（Ｓ３０３）。そして、マイクロコンピュータ１５は、レジスタ１４が保持するジッタ対応デジタル信号（ｎ＋１）を読み出すと（Ｓ３０４）、変数ｉが“１”であるか否かを判別する（Ｓ３０５）。このとき変数ｉは“ｎ＋１”であることから、マイクロコンピュータ１５は、変数ｉは１ではないと判別し（Ｓ３０５・ＮＯ）、前回のＳ３０６の動作によってＲＡＭ１６の予め定められたアドレスに書き込まれたジッタ対応デジタル信号（ｎ）を読み出す（Ｓ３０８）。そして、マイクロコンピュータ１５は、ジッタ対応デジタル信号（ｎ＋１）が示すジッタが、ジッタ対応デジタル信号（ｎ）が示すジッタ以上であるか否かを判別する（Ｓ３０９）。ここで、２値化信号が有するジッタは、図６（ｂ）に示すように、直流信号Ｃのレベルがレベル（ｎ）に達した後は上昇しているため、マイクロコンピュータ１５は、ジッタ対応デジタル信号（ｎ＋１）が示すジッタが、ジッタ対応デジタル信号（ｎ）が示すジッタ以上であると判別することとなる（Ｓ３０９・ＹＥＳ）。そして、マイクロコンピュータ１５は、ジッタ対応デジタル信号（ｎ）に対応付けられたデジタル信号（ｎ）をＲＡＭ１６の予め定められたアドレスから読み出す（Ｓ３１０）。そして、マイクロコンピュータ１５は、デジタル信号（ｎ）を再びレジスタ１７に書き込む（Ｓ３１１）。この結果、２値化信号が有するジッタを最少とするレベル（ｎ）の直流信号Ｃが２値化回路５に出力されることとなる。このため、比較回路２２は、ジッタが最少となる２値化信号を常に出力することとなる。尚、マイクロコンピュータ１５は、デジタル信号（ｎ）を再び書き込んだ後、ジッタ検出回路１２のジッタ検出動作を停止するための信号を、ジッタ検出回路１２に出力する（Ｓ３１２）。
【００８０】
尚、上述の光ディスク用信号処理装置６のその他の動作は、第２の実施形態における光ディスク用信号処理装置６１においても適用可能である。
【００８１】
上述したその他の実施形態によれば、レベル（１）からレベル（２１）に向かって直流信号Ｃのレベルを調整する過程において、２値化信号が有するジッタを最少するレベル（ｎ）を直流信号のレベルに調整することが可能となる。つまり、直流信号Ｃのレベルが２値化信号のジッタを最少とするレベル（ｎ）に達した後、次のレベル（ｎ＋１）に調整することによって、直流信号Ｃがレベル（ｎ）のとき２値化信号が有するジッタが最少となることが判別され、直流信号Ｃのレベルをレベル（ｎ）に調整することが可能となる。この結果、直流信号Ｃのレベルをレベル（ｎ）に調整するための処理を迅速に行うことが可能となり、光ディスク５０からの情報の再生をより迅速に開始することが可能となる。また、ＲＡＭ１６における予め定められたアドレスへの上書きを繰り返すことから、ＲＡＭ１６の他のアドレスを別の処理等に使うことが可能となり、ＲＡＭ１６を汎用的に用いることが可能となる。
【００８２】
尚、上述の光ディスク用信号処理装置６のその他の動作は、第２の実施形態における光ディスク用信号処理装置６１においても適用可能である。この結果、レベル（１）からレベル（２１）に向かって直流信号Ｃのレベルを調整する過程において、２値化信号が有するジッタを最少するレベル（ｎ）を直流信号のレベルに調整することが可能となる。つまり、直流信号Ｃのレベルが２値化信号のジッタを最少とするレベル（ｎ）に達した後、次のレベル（ｎ＋１）に調整することによって、直流信号Ｃがレベル（ｎ）のとき２値化信号が有するジッタが最少となることが判別され、直流信号Ｃのレベルをレベル（ｎ）に調整することが可能となる。この結果、直流信号Ｃのレベルをレベル（ｎ）に調整するための処理を迅速に行うことが可能となり、光ディスク５０からの情報の再生をより迅速に開始することが可能となる。また、ＲＡＭ１６における予め定められたアドレスへの上書きを繰り返すことから、ＲＡＭ１６の他のアドレスを別の処理等に使うことが可能となり、ＲＡＭ１６を汎用的に用いることが可能となる。
【図面の簡単な説明】
【００８３】
【図１】本発明に係る光ディスク用信号処理装置を具備する光ディスク装置の全体構成を示す機能ブロック図である。
【図２】本発明に係る光ディスク用信号処理装置を構成する２値化回路の構成を示す回路ブロック図である。
【図３】本発明に係る光ディスク用信号処理装置を構成するジッタ検出回路の構成を示す回路ブロック図である。
【図４】ジッタパルス生成回路の要部波形を示す波形図である。
【図５】本発明に係る光ディスク用信号処理装置の動作を示すフローチャートである。
【図６】直流信号Ｃ及びジッタを示す波形図である。
【図７】本発明に係る光ディスク用信号処理装置を具備する光ディスク装置の全体構成を示す機能ブロック図である。
【図８】本発明に係る光ディスク用信号処理装置の動作を示すフローチャートである。
【図９】本発明に係る光ディスク用信号処理装置のその他の動作を示すフローチャートである。
【図１０】ＲＦ信号を示す波形図である。
【符号の説明】
【００８４】
１、６０    光ディスク装置
２    スピンドルモータ
３    光ピックアップ
４    ＲＦアンプ
５    ２値化回路
６、６１    光ディスク用信号処理装置
７    ＰＬＬ回路
８    デコーダ
９    インタフェース
１０    サーボ制御回路
１１    ドライバ
１２    ジッタ検出回路
１３    ＡＤコンバータ
１４、１７、６４    レジスタ
１５、６２    マイクロコンピュータ
１６    ＲＡＭ
１８    ＤＡコンバータ
２１、３５    コンデンサ
２２    比較回路
２３    チャージポンプ回路
２４    ローパスフィルタ
２５    加算回路
２６、３４    抵抗
３１    ジッタパルス生成回路
３２Ａ、３２Ｂ    スイッチ回路
３３Ａ、３３Ｂ    定電流源
３６    増幅回路
５０    光ディスク
６３    エラーレートカウンタ
【図１】
2008027487.tif 000003
【図２】
2008027487.tif 000004
【図３】
2008027487.tif 000005
【図４】
2008027487.tif 000006
【図５】
2008027487.tif 000007
【図６】
2008027487.tif 000008
【図７】
2008027487.tif 000009
【図８】
2008027487.tif 000010
【図９】
2008027487.tif 000011
【図１０】
2008027487.tif 000012